(57)【特許請求の範囲】
【請求項１】
上面を通過する原稿を読み取るための搬送読取用コンタクトガラスと、載置された原稿を読み取るための載置読取用コンタクトガラスを有し、原稿を読み取って画像データを生成する画像読取部と、
前記画像読取部の上方に設けられ、原稿搬送路に沿って原稿を搬送し、前記搬送読取用コンタクトガラスに向けて原稿を搬送する原稿搬送部と、
画像データを記憶する記憶部と、を含み、
前記画像読取部は、
原稿の一方の面を読み取る第１読取部と、
駆動信号を生成する第１駆動信号生成部と、
前記第１駆動信号生成部が生成する駆動信号の周波数に応じた速度で動作し、第１読取部の原稿読み取りで得られた画像データに対する画像処理を行う第１半導体デバイスと、を含み、
前記原稿搬送部は、
原稿の他方の面を読み取る第２読取部と、
駆動信号を生成する第２駆動信号生成部と、
前記第２駆動信号生成部が生成する駆動信号の周波数に応じた速度で動作し、第２読取部の原稿読み取りで得られた画像データに対する画像処理を行う第２半導体デバイスと、を含み、
前記記憶部は、ＨＤＤを含み、前記ＨＤＤは、前記第１半導体デバイスが画像処理を施した画像データと、前記第２半導体デバイスが画像処理を施した画像データを記憶し、
前記第１半導体デバイスは、前記第１読取部の原稿読取による画像データに対して画像処理を行っている状態で、印刷や送信のジョブを行うために前記ＨＤＤに記憶された別の画像データの画像処理を並行して行う並行画像処理を行い、
前記第２半導体デバイスは、前記並行画像処理を行わず、
前記第１半導体デバイスと前記第２半導体デバイスは、仕様、設計が同じものであり、
前記第２駆動信号生成部は、前記第１駆動信号生成部が生成する駆動信号よりも遅い周波数の駆動信号を生成することを特徴とする画像読取装置。
【請求項２】
前記第１半導体デバイス及び前記第２半導体デバイスはそれぞれ画像処理回路を含み、
前記第１駆動信号生成部は、予め定められた周波数で前記第１半導体デバイスの前記画像処理回路を駆動させるための画像処理回路用駆動信号を生成し、
前記第２駆動信号生成部は、前記第２半導体デバイスの前記画像処理回路を駆動させるため、予め定められた周波数であって前記第１駆動信号生成部が生成する画像処理回路用駆動信号よりも遅い周波数の画像処理回路用駆動信号を生成することを特徴とする請求項１記載の画像読取装置。
【請求項３】
前記第１半導体デバイス及び前記第２半導体デバイスは、それぞれ内部バスを含み、
前記第１駆動信号生成部は、予め定められた周波数で前記第１半導体デバイスの前記内部バスを駆動させるための内部バス用駆動信号を生成し、
前記第２駆動信号生成部は、前記第２半導体デバイスの前記内部バスを駆動させるため、予め定められた周波数であって前記第１駆動信号生成部が生成する内部バス用駆動信号よりも遅い周波数の内部バス用駆動信号を生成することを特徴とする請求項１又は２に記載の画像読取装置。
【請求項４】
前記第１半導体デバイスと通信可能に接続され、前記第１半導体デバイスが画像処理を行うときに用いられ、前記第１駆動信号生成部が生成するメモリー用駆動信号の周波数に応じた速度で動作する第１画像メモリーと、
前記第２半導体デバイスと通信可能に接続され、前記第２半導体デバイスが画像処理を行うときに用いられ、前記第２駆動信号生成部が生成するメモリー用駆動信号の周波数に応じた速度で動作する第２画像メモリーと、を含み、
前記第１駆動信号生成部は、前記第１画像メモリーを駆動させるためのメモリー用駆動信号を生成し、
前記第２駆動信号生成部は、前記第２画像メモリーを駆動させるため、予め定められた周波数であって前記第１駆動信号生成部が生成するメモリー用駆動信号よりも遅い周波数のメモリー用駆動信号を生成することを特徴とする請求項１乃至３の何れか１項に記載の画像読取装置。
【請求項５】
前記第２駆動信号生成部が生成する前記駆動信号、前記画像処理回路用駆動信号、前記内部バス用駆動信号、前記メモリー用駆動信号の何れか１つ又は複数の周波数を設定するための設定部を含むことを特徴とする請求項１乃至４の何れか１項に記載の画像読取装置。
【請求項６】
前記第１読取部は前記原稿搬送路の途中で原稿の表面を読み取り、前記第２読取部は前記原稿搬送路の途中で原稿の裏面を読み取って、前記第１読取部と前記第２読取部は、１枚の原稿の同時読取を行うことを特徴とする請求項１乃至５の何れか１項に記載の画像読取装置。
【請求項７】
請求項１乃至請求項６のいずれかに記載の画像読取装置と、前記第１半導体デバイス及び前記第２半導体デバイスが画像処理を行った画像データに基づき、画像を形成する画像形成部と、を含むことを特徴とする備えた画像形成装置。
【発明の詳細な説明】
【技術分野】
【０００１】
本発明は、原稿の両面読取を行う画像読取装置に関する。又、この画像読取装置を備えた画像形成装置に関する。
【背景技術】
【０００２】
近年、用紙の有効活用等の観点から、用紙の両面に印刷されることがある。そして、原稿を裏返すといった使用者の作業や原稿のスイッチバック等を行わずに済むように、画像読取装置には、２つのイメージセンサーを搭載し、両面印刷された原稿の表面と裏面をほぼ同時に並行して読み取るものがある（以下、このような両面原稿の読取形式を「両面同時読取」という）。このような画像読取装置の一例が特許文献１に記載されている。
【０００３】
具体的に、特許文献１には、所定の動作クロックに基づいて動作し、原稿の一方側の面の画情報を読み取って画像信号を出力する第１の読取手段（イメージセンサー）と、所定の動作クロックに基づいて動作し、原稿の他方側の面の画情報を読み取って画像信号を出力する第２の読取手段（イメージセンサー）と、原稿の片面を読み取るか両面を読み取るかの原稿読取モードを選択する選択手段と、第１の読取手段と第２の読取手段に動作クロックを供給するクロック発生手段と、選択手段で選択された原稿読取モードに応じて、クロック発生手段の供給する動作クロックの周波数を変化させる制御手段と、を備える画像読取装置が記載されている。これにより、両面読取可能な画像読取装置を小型で安価なものにしようとする（特許文献１：請求項１、段落［０００７］等参照）。
【先行技術文献】
【特許文献】
【０００４】
【特許文献１】特開平９−４６４８４号公報
【発明の概要】
【発明が解決しようとする課題】
【０００５】
画像読取装置や、画像読取装置を搭載した画像形成装置には、読み取りで得られた画像データに対して各種の画像処理を行う半導体デバイス（例えば、ＡＳＩＣやＦＰＧＡ等）が設けられる。
【０００６】
上述のように、画像読取装置には、イメージセンサーを２つ設け、両面同時読取可能なものがある。このような両面同時読取機能を有する画像読取装置で、設ける半導体デバイスが１つだけだと、遅延などの問題なしに画像データの処理を行うには、一方のイメージセンサーの読み取りで得られた画像データと、他方のイメージセンサーの読み取りで得られた画像データを並行して画像処理可能な能力を持たせる必要がある。そのため、画像処理が予め定められた時間内に完了するように、高い周波数で高速動作する半導体デバイスが必要となる。
【０００７】
しかし、複合機などでは、両面同時読取に対応したオプション装置（例えば、イメージセンサーを搭載した原稿搬送装置）を購入して初めて両面同時読取機能が利用可能となる場合がある。そこで、画像読取装置には、表面読取用のイメージセンサーからの画像データを処理する半導体デバイスを１つ標準で搭載しておくことがある。そして、オプション装置の増設に合わせて裏面読取用のイメージセンサーからの画像データを処理する半導体デバイスを別途装着することがある（例えば、オプション装置としての原稿搬送装置に内蔵する）。これにより、画像読取装置に標準搭載する半導体デバイスに両面同時読取に対応できるほどの性能持たせずに済み、標準構成での画像形成装置や画像読取装置の製造コストを下げることができる。このように、２つのイメージセンサーにそれぞれ画像処理を行う半導体デバイスを設けることがある。
【０００８】
一方で、例えば、コピー、スキャン、画像データ送信といった複数の機能を有する画像読取装置の半導体デバイスは、記憶部（例えば、ＨＤＤ）に記憶された画像データに対して画像処理を行うことがある。そして、原稿読取の実行タイミングによっては、イメージセンサーによる原稿読取で得られた画像データの画像処理と、記憶部に記憶された画像データの画像処理を並行して行うことがある（以下、このような２種の画像データの並行的な処理を「並行画像処理」と称する）。
【０００９】
ここで、オプション装置の有無に寄らず、並行画像処理を行えるように、通常、標準搭載される半導体デバイス（表面読取用の半導体デバイス）が、２種の画像データを並行して処理可能な画像処理性能を持たせる（裏面用の半導体デバイスには不要）。そのため、並行画像処理を行う標準搭載の半導体デバイスは、遅滞なく並行画像処理を行える性能が要求される。このように、半導体デバイスが画像読取装置に複数個搭載されるとき、表面用の半導体デバイスと裏面用の半導体デバイスで要求される性能が異なる。この場合、高い画像処理性能（処理速度）が要求される表面用の半導体デバイスは、高い周波数で高速動作することになる。
【００１０】
そのため、従来、オーバースペックでもなく性能不足にもならないように、表面用の半導体デバイスと裏面用の半導体デバイスは別々に開発されていた。しかし、２つの半導体デバイスの開発費用が必要となり、半導体デバイスの開発コストが高くつくという問題がある。
【００１１】
あるいは、表面用の半導体デバイスと裏面用の半導体デバイスが行う処理内容は共通するので、表面用の半導体デバイスと裏面用の半導体デバイスに同じ半導体デバイスを用いる（搭載する）こともある。しかし、従来、並行画像処理を行う必要ないものの、裏面用の半導体デバイスは、表面用の半導体デバイスと同様の動作速度（同じ周波数）で動作させられている。そのため、裏面用の半導体デバイスは、必要以上に高い周波数で高速動作させられているといえる。そして、裏面用の半導体デバイスを必要以上に高い周波数で動作させると、発熱などで、余分な電力が消費されるという問題がある。又、裏面用の半導体デバイスを必要以上に高い周波数で動作させると、熱対策のためにヒートシンクや風量の大きな冷却用ファンが必要となり、画像読取装置の製造コスト上昇を招きかねない。このように、裏面用の半導体デバイスを必要以上に高い周波数（表面用の半導体デバイスと同じ周波数）で動作させていることにより、余分な電力を消費する問題や、冷却のために画像読取装置の製造コストが高くなるという問題がある。
【００１２】
ここで、特許文献１記載の発明は、イメージセンサーは複数有するものの、画像データを処理する半導体デバイスを複数有するか否か不明である。又、特許文献１記載の画像読取装置は、ファクシミリ装置であり、記憶部に記憶された画像データと読み取りで得られた画像データを並列的に処理するものでもない。従って、特許文献１記載の発明では、半導体デバイスの開発コストの問題や、裏面用の半導体デバイスを必要以上に高い周波数で動作させていることによる上記の問題を解決することはできない。
【００１３】
本発明は、上記従来技術の問題点に鑑み、画像読取装置に搭載される画像処理を行う半導体デバイスの開発コストを抑え、かつ、必要以上に高い周波数での裏面用の半導体デバイスの動作に起因する余分な電力消費や製造コスト上昇を抑えることを課題とする。
【課題を解決するための手段】
【００１４】
上記目的を達成するために、請求項１に係る画像読取装置は、上面を通過する原稿を読み取るための搬送読取用コンタクトガラスと、載置された原稿を読み取るための載置読取用コンタクトガラスを有し、原稿を読み取って画像データを生成する画像読取部と、前記画像読取部の上方に設けられ、原稿搬送路に沿って原稿を搬送し、前記搬送読取用コンタクトガラスに向けて原稿を搬送する原稿搬送部と、画像データを記憶する記憶部と、を含み、前記画像読取部は、原稿の一方の面を読み取る第１読取部と、駆動信号を生成する第１駆動信号生成部と、前記第１駆動信号生成部が生成する駆動信号の周波数に応じた速度で動作し、第１読取部の原稿読み取りで得られた画像データに対する画像処理を行う第１半導体デバイスと、を含み、前記原稿搬送部は、原稿の他方の面を読み取る第２読取部と、駆動信号を生成する第２駆動信号生成部と、前記第２駆動信号生成部が生成する駆動信号の周波数に応じた速度で動作し、第２読取部の原稿読み取りで得られた画像データに対する画像処理を行う第２半導体デバイスと、を含み、前記記憶部は、ＨＤＤを含み、前記ＨＤＤは、前記第１半導体デバイスが画像処理を施した画像データと、前記第２半導体デバイスが画像処理を施した画像データを記憶し、前記第１半導体デバイスは、前記第１読取部の原稿読取による画像データに対して画像処理を行っている状態で、印刷や送信のジョブを行うために前記ＨＤＤに記憶された別の画像データの画像処理を並行して行う並行画像処理を行い、前記第２半導体デバイスは、前記並行画像処理を行わず、前記第１半導体デバイスと前記第２半導体デバイスは、仕様、設計が同じものであり、前記第２駆動信号生成部は、前記第１駆動信号生成部が生成する駆動信号よりも遅い周波数の駆動信号を生成することとした。
【００１５】
この構成によれば、第１半導体デバイスと第２半導体デバイスは、同じものである。これにより、表面読取用の半導体デバイス（第１半導体デバイス）と裏面読取用の半導体デバイス（第２半導体デバイス）で同じもの（半導体デバイス）が用いられる。従って、第１半導体デバイスと第２半導体デバイスを別々に開発せずに済み、半導体デバイスの開発コストを抑えることができる。
【００１６】
又、第２駆動信号生成部は、第１駆動信号生成部が生成する駆動信号よりも遅い周波数の駆動信号を生成する。これにより、記憶部に記憶された画像データと第２読取部の原稿読み取りで得られた画像データに対する画像処理を並列処理する必要がない第２半導体デバイスは、第１半導体デバイスよりも動作周波数が低く抑えられる。従って、第２半導体デバイスの動作周波数低減により、第２半導体デバイスでの発熱等による余分な電力の消費が抑えられ、熱対策（ヒートシンクの設置や風量の大きい冷却ファンの設置）に要するコストも抑えられる。
【００１７】
又、請求項２に係る発明は、請求項１の発明において、前記第１半導体デバイス及び前記第２半導体デバイスはそれぞれ画像処理回路を含み、前記第１駆動信号生成部は、予め定められた周波数で前記第１半導体デバイスの前記画像処理回路を駆動させるための画像処理回路用駆動信号を生成し、前記第２駆動信号生成部は、前記第２半導体デバイスの前記画像処理回路を駆動させるため、予め定められた周波数であって前記第１駆動信号生成部が生成する画像処理回路用駆動信号よりも遅い周波数の画像処理回路用駆動信号を生成することとした。
【００１８】
この構成によれば、第２駆動信号生成部は、第２半導体デバイスの画像処理回路を駆動させるため、予め定められた周波数であって第１駆動信号生成部が生成する画像処理回路用駆動信号よりも遅い周波数の画像処理回路用駆動信号を生成する。これにより、画像処理を行う第２半導体デバイスの一部を構成する画像処理回路での余分な電力の消費を抑えることができ、熱対策に要するコストも抑えることができる。
【００１９】
又、請求項３に係る発明は、請求項１又は２の発明において、前記第１半導体デバイス及び前記第２半導体デバイスは、それぞれ内部バスを含み、前記第１駆動信号生成部は、予め定められた周波数で前記第１半導体デバイスの前記内部バスを駆動させるための内部バス用駆動信号を生成し、前記第２駆動信号生成部は、前記第２半導体デバイスの前記内部バスを駆動させるため、予め定められた周波数であって前記第１駆動信号生成部が生成する内部バス用駆動信号よりも遅い周波数の内部バス用駆動信号を生成することとした。
【００２０】
この構成によれば、第２駆動信号生成部は、第２半導体デバイスの内部バスを駆動させるため、予め定められた周波数であって第１駆動信号生成部が生成する内部バス用駆動信号よりも遅い周波数の内部バス用駆動信号を生成する。これにより、画像処理を行う第２半導体デバイスの一部を構成する内部の内部バスでの余分な電力の消費を抑えることができ、熱対策に要するコストも抑えることができる。
【００２１】
又、請求項４に係る発明は、請求項１乃至３の発明において、前記第１半導体デバイスと通信可能に接続され、前記第１半導体デバイスが画像処理を行うときに用いられ、前記第１駆動信号生成部が生成するメモリー用駆動信号の周波数に応じた速度で動作する第１画像メモリーと、前記第２半導体デバイスと通信可能に接続され、前記第２半導体デバイスが画像処理を行うときに用いられ、前記第２駆動信号生成部が生成するメモリー用駆動信号の周波数に応じた速度で動作する第２画像メモリーと、を含み、前記第１駆動信号生成部は、前記第１画像メモリーを駆動させるためのメモリー用駆動信号を生成し、前記第２駆動信号生成部は、前記第２画像メモリーを駆動させるため、予め定められた周波数であって前記第１駆動信号生成部が生成するメモリー用駆動信号よりも遅い周波数のメモリー用駆動信号を生成することとした。
【００２２】
この構成によれば、第２駆動信号生成部は、第２画像メモリーを駆動させるため、予め定められた周波数であって第１駆動信号生成部が生成するメモリー用駆動信号よりも遅い周波数のメモリー用駆動信号を生成する。これにより、第２半導体デバイスが画像処理を行う上で、画像処理を行う画像データや画像処理後の画像データを記憶する第２画像メモリーでの余分な電力の消費を抑えることができ、第２画像メモリーに対する熱対策に要するコストも抑えることができる。
【００２３】
又、請求項５に係る発明は、請求項１乃至４の発明において、前記第２駆動信号生成部が生成する前記駆動信号、前記画像処理回路用駆動信号、前記内部バス用駆動信号、前記メモリー用駆動信号の何れか１つ又は複数の周波数を設定するための設定部を含むこととした。
【００２４】
この構成によれば、第２駆動信号生成部が生成する駆動信号、画像処理回路用駆動信号、内部バス用駆動信号、メモリー用駆動信号の何れか１つ又は複数の周波数を設定するための設定部を含む。これにより、第２半導体デバイスや第２半導体デバイスに関連する画像メモリーでの各種駆動信号の周波数を、画像処理を行う上で十分で、余分な電力の消費や発熱を抑える好適な周波数に合わせることができる。
【００２５】
又、請求項６に係る発明は、請求項１乃至５の発明において、原稿搬送路に沿って原稿を搬送する原稿搬送部を有し、前記第１読取部は前記原稿搬送路の途中で原稿の表面を読み取り、前記第２読取部は前記原稿搬送路の途中で原稿の裏面を読み取って、前記第１読取部と前記第２読取部は、１枚の原稿の同時読取を行うこととした。
【００２６】
この構成によれば、第１読取部は原稿搬送路の途中で原稿の表面を読み取り、第２読取部は原稿搬送路の途中で原稿の裏面を読み取って、第１読取部と第２読取部は、１枚の原稿の同時読取を行う。これにより、２つの読取部により、同時に（並行して）原稿の読み取りを行うことができる。
【００２７】
又、請求項７に係る画像形成装置は、請求項１乃至請求項６のいずれかに記載の画像読取装置と、前記第１半導体デバイス及び前記第２半導体デバイスが画像処理を行った画像データに基づき、画像を形成する画像形成部と、を含むこととした。
【００２８】
この構成によれば、画像読取装置での２つの半導体デバイスをそれぞれ別に開発せずに済み、画像読取装置を搭載した画像形成装置の開発費用を抑えることができる。又、第２半導体デバイスでの余分な電力の消費は発生熱が抑えられるので、従来よりも省電力で、低コストの画像読取装置を搭載した画像形成装置を提供することができる。
【発明の効果】
【００２９】
本発明によれば、画像読取装置に搭載される画像処理を行う半導体デバイスの開発コストを抑えることができる。又、裏面用の半導体デバイスのオーバースペックに起因する余分な電力消費や製造コスト上昇を抑えることができる。
【図面の簡単な説明】
【００３０】
【図１】複合機の概略構成を示す正面視模型的断面図である。
【図２】画像読取装置の一例を示す模型的断面図である。
【図３】複合機のハードウェア構成の一例を示すブロック図である。
【図４】画像読取装置での原稿読取の流れの一例を説明するためのブロック図である。
【図５】各半導体デバイスの構成の一例を説明するためのブロック図である。
【図６】各駆動信号生成部の一例を示すブロック図である。
【発明を実施するための形態】
【００３１】
以下、本発明の実施形態を図１〜図６を用いて説明する。但し、本実施の形態に記載されている構成、配置等の各要素は、発明の範囲を限定するものではなく単なる説明例にすぎない。
【００３２】
（画像形成装置の概略）
まず、図１を用いて、本発明の実施形態に係る画像読取装置１００を含む電子写真方式の複合機１０１（画像形成装置に相当）の概略を説明する。図１は、複合機１０１の概略構成を示す正面視模型的断面図である。
【００３３】
図１に示すように、本実施形態に係る複合機１０１は、上方に画像読取装置１００が配される。画像読取装置１００は、搬送読取用コンタクトガラス１１ａ又は載置読取用コンタクトガラス１１ｂ上面に向け光を照射し、反射光に基づき第１イメージセンサー１２（第１読取部に相当）により画像データを生成する画像読取部１と、画像読取部１の上方に設けられ、画像読取部１に対し上下方向に開閉し、搬送読取用コンタクトガラス１１ａに向けて原稿を搬送し、第２イメージセンサー２１（第２読取部に相当）を含む原稿搬送部２が設けられる。尚、画像読取装置１００の詳細は後述する。
【００３４】
又、図１に破線で示すように、画像読取部１の正面側に操作パネル１０２が設けられる。操作パネル１０２は、複合機１０１の設定用のキーを表示し、タッチパネルにより使用者の入力を受け付ける液晶表示部１０２ａを有する。又、液晶表示部１０２ａは、ジャムや用紙切れ等のエラー等の複合機１０１の状態を表示できる。又、操作パネル１０２にコピー部数等の数字入力を行うためのテンキー部１０２ｂや、コピー実行を指示するためのスタートキー１０２ｃ等が配される。
【００３５】
そして、図１に示すように、本実施形態の複合機１０１は、本体内部に給紙部３ａ、搬送路３ｂ、画像形成部４ａ、中間転写部４ｂ、定着部４ｃ等を備える。複合機１０１本体内の複数の給紙部３ａは、それぞれ、各サイズ（例えば、Ａ４、Ｂ４等のＡ型、Ｂ型用紙等）、各種用紙（例えば、コピー用紙、再生紙、厚紙、ＯＨＰシート等）を複数枚収容する。各給紙部３ａは、それぞれ回転駆動する給紙ローラー３１を備え、印刷時、いずれかの給紙ローラー３１が回転し、１枚ずつ搬送路３ｂに用紙を送り込む。
【００３６】
搬送路３ｂは、装置内で用紙を搬送する通路である。そして、搬送路３ｂには、用紙の案内のためのガイド板や、用紙搬送時に回転駆動する搬送ローラー対３２（図１おいて、上方から３２ａ、３２ｂ、３２ｃの計３つ）や、搬送される用紙を画像形成部４ａの手前で待機させ、形成されたトナー像の転写タイミングに合わせ用紙を送り出すレジストローラー対３３等が設けられる。又、定着完了後の用紙を排出トレイ３４に排出する排出ローラー対３５も設けられる。
【００３７】
画像形成部４ａは、複数の画像形成ユニット４０（ブラック用の４０Ｂｋ、イエロー用の４０Ｙ、シアン用の４０Ｃ、マゼンタ用の４０Ｍ）と露光装置４１を含む。露光装置４１は、画像読取部１で読み取られた画像データ等に基づき、レーザ光を点消灯しつつ出力し、各感光体ドラムを走査露光する。画像形成ユニット４０は、回転駆動可能に支持された感光体ドラムや、感光体ドラムの周囲に配設された帯電装置、現像装置、清掃装置等を備える。そして、各画像形成ユニット４０と露光装置４１によって、感光体ドラムの周面上にトナー像が形成される。
【００３８】
中間転写部４ｂは、各画像形成ユニット４０からトナー像の１次転写を受け、シートに２次転写を行う。中間転写部４ｂは、各１次転写ローラー４２Ｂｋ〜４２Ｍ、中間転写ベルト４３、駆動ローラー４４、複数の従動ローラー４５ａ、４５ｂ、２次転写ローラー４６、ベルト清掃装置４７等で構成される。各１次転写ローラー４２Ｂｋ〜４２Ｍは、対応する感光体ドラムと無端状の中間転写ベルト４３を挟み込む。各１次転写ローラー４２Ｂｋ〜４２Ｍには、転写用電圧が印加され、トナー像は中間転写ベルト４３に転写される。
【００３９】
中間転写ベルト４３は、駆動ローラー４４、各１次転写ローラー４２Ｂｋ〜４２Ｍ等に張架される。中間転写ベルト４３は、モーター等の駆動機構（不図示）に接続される駆動ローラー４４の回転駆動により周回する。駆動ローラー４４と２次転写ローラー４６は、中間転写ベルト４３を挟み込む。各画像形成ユニット４０で形成されたトナー像（ブラック、イエロー、シアン、マゼンタの各色）は、順次、ずれなく重畳して中間転写ベルト４３に１次転写された後、所定の電圧を印加された２次転写ローラー４６により、シートに転写される。
【００４０】
定着部４ｃは、用紙に転写されたトナー像を定着させる。定着部４ｃは、主として、発熱体を内蔵する加熱ローラー４８とこれに圧接する加圧ローラー４９からなる。用紙が、加熱ローラー４８と加圧ローラー４９のニップを通過すると、トナーが溶融・加熱され、トナー像が用紙に定着する。定着部４ｃからの排出用紙は排出トレイ３４に送られる。
【００４１】
（画像読取装置１００の構成）
次に、図２を用いて、実施形態に係る画像読取装置１００の一例を説明する。図２は、画像読取装置１００の一例を示す模型的断面図である。
【００４２】
上述のように、画像読取装置１００は、原稿搬送部２と画像読取部１を含む。まず、原稿搬送部２から説明する。原稿搬送部２は、読み取りを行う原稿を１枚ずつ、自動的に連続して読み取り位置（後述の搬送読取用コンタクトガラス１１ａ）に搬送する。原稿搬送部２は、原稿搬送方向上流側から順に、原稿トレイ２２、原稿供給ローラー２３、原稿搬送路２４、複数の原稿搬送ローラー対２５、原稿排出ローラー対２６、原稿排出トレイ２７等を備える。又、原稿搬送部２は、図２の紙面奥側を支点として画像読取部１に上下方向に開閉自在に取り付けられ、画像読取部１の各コンタクトガラスを上方から押さえるカバーとして機能する。
【００４３】
読み取りを行う複数枚の原稿は、表面を上に向けた状態で、原稿トレイ２２に載置される。そして、原稿供給ローラー２３は、原稿トレイ２２に載置された原稿のうち最上位の原稿に当接する。例えば、スタートキー１０２ｃの押下等、原稿読取を行う旨の入力が複合機１０１に入力されると、原稿供給ローラー２３は、原稿搬送路２４に原稿を１枚ずつ送り出す。
【００４４】
送り出された原稿は、複数の原稿搬送ローラー対２５やガイドに導かれ、画像読取部１上面に設けられた搬送読取用コンタクトガラス１１ａの上面を通過する。この通過の際、画像読取部１が読取を行う。そして、読取が完了した原稿は、原稿排出ローラー対２６から原稿排出トレイ２７に排出される（原稿搬送経路を２点鎖線で図示）。尚、上記の各回転体（原稿供給ローラー２３、原稿搬送ローラー対２５、原稿排出ローラー対２６）は、原稿搬送モーター２８（図４参照）を駆動源として回転する。
【００４５】
そして、原稿搬送部２には、例えば、原稿排出ローラー対２６の近傍で原稿搬送方向上流側に、搬送される原稿の裏面を読み取る第２イメージセンサー２１が設けられる。第２イメージセンサー２１は、ＣＩＳ（Contact Image Sensor、密着イメージセンサ）方式のイメージセンサーである。又、例えば、第２イメージセンサー２１は、カラーでの読み取りに対応し、複数の受光素子を並べたＲ、Ｇ、Ｂの３色のラインセンサを含む。又、第２イメージセンサー２１は、原稿の裏面に光を照射する第２光源２９（例えば、ＬＥＤや蛍光管、図４参照）や、原稿の反射光を導くレンズなども含む。
【００４６】
原稿搬送に伴い、第２イメージセンサー２１は、原稿の裏面の主走査方向（原稿搬送方向と垂直な方向）でのライン単位の読取を行う。第２イメージセンサー２１は、反射光を画像濃度に応じたアナログの電気信号に変換する。ライン単位の読取を副走査方向（原稿搬送方向）に連続して繰り返し行って、１枚の原稿の裏面が読み取られる。
【００４７】
次に、本実施形態における画像読取部１を説明する。図１や図２に示すように、画像読取部１は、箱形の筐体を有する。そして、画像読取部１の上面左側に、図２の紙面に垂直な方向でのび、透明板状の搬送読取用コンタクトガラス１１ａが配される。そして、画像読取部１の上面右側に、紙面に垂直な方向でのび、透明板状の載置読取用コンタクトガラス１１ｂが配される。書籍等の原稿を１枚ずつ読み取る場合、原稿搬送部２を持ち上げ、読取面を下向きにして、原稿が載置される。
【００４８】
又、図２に示すように、画像読取部１の筐体内に、第１移動枠１３１、第２移動枠１３２、ワイヤ１４１、巻取ドラム１４２、レンズ１５と、原稿に光を照射する第１光源１６（例えば、ＬＥＤや蛍光管）と、原稿に照射された光が入射され、１ライン毎に原稿を読み取り、画像データを生成するための第１イメージセンサー１２等が配される。第１イメージセンサー１２は、例えば、ライン状に光電変換素子を並べたＣＣＤ（Charge Coupled Device）で構成され、原稿の反射光を元に、１ライン毎に原稿の表面を読み取る。
【００４９】
第１光源１６から発せられ、搬送読取用コンタクトガラス１１ａ上の原稿や、載置読取用コンタクトガラス１１ｂ上の原稿に当たり反射された反射光は、第１ミラー１７１、第２ミラー１７２、第３ミラー１７３による反射でレンズ１５に導かれる。レンズ１５は、反射光を集光し、第１イメージセンサー１２に入射する、第１イメージセンサー１２は、例えば、複数の受光素子を並べたＲ、Ｇ、Ｂの３色のラインセンサを含む。そして、第１イメージセンサー１２は、反射光を画像濃度に応じたアナログの電気信号に変換する。この原稿の主走査方向（原稿搬送方向と垂直な方向）にライン単位で読取が行われ、ライン単位の読取を副走査方向（原稿搬送方向）に連続して繰り返し行って、１枚の原稿の表面が読み取られる。
【００５０】
そして、第１移動枠１３１は、上方に光を照射する第１光源１６を、下方に第１ミラー１７１を支持する。尚、第１光源１６、各ミラーは、図２の紙面垂直方向に延びる形状である。第２移動枠１３２は、上方に第２ミラー１７２を、下方で第３ミラー１７３を支持する。又、第１移動枠１３１は第２移動枠１３２の上方に配される。又、この第１移動枠１３１及び第２移動枠１３２には複数本のワイヤ１４１が取り付けられ（図２では、便宜上１本のみ図示）る。ワイヤ１４１の他端は巻取ドラム１４２に接続され、巻取モーター１４（図４参照）を駆動源として、巻取ドラム１４２が正逆回転し、第１移動枠１３１と第２移動枠１３２は水平方向に自在に移動する。
【００５１】
ここで、第１イメージセンサー１２を利用した原稿の表面の読取動作の一例を説明しておく。まず、原稿搬送部２により搬送される原稿の表面読取や、両面同時読取の場合、巻取モーター１４が駆動した後、第１移動枠１３１と第２移動枠１３２は、搬送読取用コンタクトガラス１１ａの下方位置（読み取り位置）に固定される。そして、通過する原稿に対し、第１光源１６は光を照射する。そして、第１イメージセンサー１２の各画素が反射光に応じたアナログの電気信号を出力する。
【００５２】
一方、載置読取用コンタクトガラス１１ｂ上に載置された原稿を読み取る場合、第１移動枠１３１及び第２移動枠１３２を巻取ドラム１４２やワイヤ１４１等により、ホームポジションから図２の右方向に水平に移動させ、走査動作を、順次原稿端部まで連続的に行うことで、原稿全体が読み取られ、原稿画像がアナログの電気信号に変換される。
【００５３】
（複合機１０１のハードウェア構成）
次に、図３に基づき本発明の実施形態に係る複合機１０１のハードウェア構成の一例を説明する。図３は複合機１０１のハードウェア構成の一例を示すブロック図である。
【００５４】
複合機１０１には、全体制御を司り、複合機１０１内の各部の制御や通信制御が画像処理を行う主制御部５が設けられる。そして、主制御部５には、中央演算処理装置としてＣＰＵ５１が設けられる。又、ＲＯＭ５２（Read Only Memory）やＲＡＭ５３（Random Access Memory）やＨＤＤ５４（Hard disk drive）やフラッシュＲＯＭ等の不揮発性と揮発性の記憶装置からなる記憶部５５が、主制御部５に設けられる（主制御部５外でもよい）。
【００５５】
記憶部５５は、複合機１０１を制御するためのプログラム、データ等を記憶する。主制御部５は、記憶部５５のプログラムやデータを利用して、各部を制御し、印刷やデータの送信を行わせる。又、記憶部５５は、画像読取装置１００の読み取りに基づく画像データや、外部のコンピューター２００やＦＡＸ装置３００から送信され通信部５７で受信した画像データを記憶、蓄積することができる。
【００５６】
又、主制御部５には、画像読取装置１００の読み取りにより得られた画像データや記憶部５５に記憶された画像データに対し、画像処理を行う画像処理部５６が設けられる。例えば、画像処理部５６は、ＡＳＩＣやメモリ等で構成され、濃度変換処理や、拡大縮小処理や、回転処理や、データ形式変換など、印刷や外部への画像データ送信のための各種画像処理を行える。尚、画像処理部５６は、その他の画像処理（例えば、枠消し処理）等を行うこともできるが、公知の画像処理を行えるものとして説明を割愛する。
【００５７】
又、複合機１０１には、外部のコンピューター２００やＦＡＸ装置３００と画像データの送受信を行う通信部５７が設けられる。通信部５７は、コンピューター２００やＦＡＸ装置３００から印刷を行う画像データや印刷での設定データを受信する（プリンター、ＦＡＸ機能）。又、通信部５７は、画像読取装置１００での原稿読取に基づく画像データをコンピューター２００やＦＡＸ装置３００に送信できる（送信機能、ＦＡＸ機能）。又、主制御部５は、操作パネル１０２と通信可能に接続される。操作パネル１０２での設定やコピー実行指示は、主制御部５に伝達される。
【００５８】
又、主制御部５は、画像形成や各種回転体を回転させるモーター等のＯＮ／ＯＦＦ等を行い、印刷を制御するエンジン制御部４ｄと通信可能に接続される。尚、エンジン制御部４ｄを設けず、主制御部５が代わりに印刷制御を行っても良い。
【００５９】
そして、エンジン制御部４ｄは、給紙部３ａ、搬送路３ｂ、画像形成部４ａ、中間転写部４ｂ、定着部４ｃと接続される。主制御部５は、印刷の際、エンジン制御部４ｄに、操作パネル１０２での設定に応じて、印刷内容の指示を与える。エンジン制御部４ｄは、主制御部５の指示に基づき、用紙搬送やトナー像形成や各種モーターのＯＮ／ＯＦＦ等、各部の動作制御を行う。
【００６０】
又、主制御部５は、画像読取部１、原稿搬送部２とも接続される。コピーや画像データ送信などのため、原稿読取の実行時、主制御部５は、画像読取部１、原稿搬送部２に対して動作指示を与える。これにより画像読取部１、原稿搬送部２は、原稿読取を行う。そして、主制御部５は、例えば、原稿の画像データを受け取り、画像データに基づき、エンジン制御部４ｄに印刷を行わせること（コピー）や、通信部５７に画像データの送信を行わせる（送信機能）。
【００６１】
（画像読取装置１００での原稿読取の流れ）
次に、図４に基づき、実施形態に係る画像読取装置１００での原稿読取の流れの一例を説明する。図４は、画像読取装置１００での原稿読取の流れの一例を説明するためのブロック図である。
【００６２】
上述したように、本実施形態の画像読取装置１００は、原稿搬送部２と画像読取部１を含む。又、記憶部５５に記憶される画像データの画像処理を行うので、図４に示すように、本実施形態の画像読取装置１００は、主制御部５（記憶部５５）も含む。そして、画像読取部１には、画像読取部１の動作の制御を行う読取制御部１０が設けられる。一方、原稿搬送部２には、原稿搬送部２の動作の制御を行う原稿搬送制御部２０が設けられる。
【００６３】
まず、画像読取部１での原稿読取の流れを説明する。読取制御部１０は、主制御部５や原稿搬送制御部２０と通信可能に接続される。そして、主制御部５からの指示、信号を受け、画像読取部１内の部材の動作制御を行う。
【００６４】
例えば、読取制御部１０は、中央演算処理装置としてのＣＰＵや、制御用のプログラムやデータを記憶する記憶装置としてのＲＯＭ、ＲＡＭを含む基板である。主制御部５から原稿の読取指示があったとき、読取制御部１０は、巻取モーター１４を駆動させ、巻取ドラム１４２を回転させ、第１移動枠１３１や第２移動枠１３２を読み取りに応じた位置に移動させる。
【００６５】
又、そして、画像読取部１には、原稿の表面を読み取り関し、第１光源１６、第１イメージセンサー１２、第１ＡＦＥ１８（Analog Front End）、第１半導体デバイス６１、第１画像メモリー７１などが設けられる。
【００６６】
原稿読取（表面読取）の指示を主制御部５から受けたとき、画像読取部１は、第１光源１６を点灯させる。そして、第１イメージセンサー１２は、原稿の表面を読み取る。第１イメージセンサー１２の各受光素子（光電変換素子）が出力するアナログ信号は、第１ＡＦＥ１８に入力される。第１ＡＦＥ１８は、例えば、アナログ信号の増幅器や、ＡＧＣ（Auto Gain Control、自動ゲイン調整）回路や、第１イメージセンサー１２から出力される奇数番目と偶数番目の信号の特性の差異を補正するＯＤＤ／ＥＶＥＮ補正回路や、各種補正、調整回路で整えられたアナログ信号をディジタル信号に変換するＡ／Ｄ変換回路などを含む。
【００６７】
第１ＡＦＥ１８によってディジタル信号に変換された画像データは、第１半導体デバイス６１に入力される。第１半導体デバイス６１は、例えば、ＡＳＩＣやＦＰＧＡなどの画像処理専用の集積回路である。第１半導体デバイス６１は、例えば、各種補正処理（γ補正処理等）や、色変換処理（例えば、ＲＧＢ形式からＣＭＹＫ等の他形式への変換）や、拡大、縮小といったズーム処理や符号化処理（圧縮、伸張や例えば、ＪＰＥＧ形式などへのデータ形式変換など）を行う。
【００６８】
又、第１半導体デバイス６１が利用する記憶領域として第１画像メモリー７１が設けられる。例えば、第１画像メモリー７１は、ＤＲＡＭであり、ＤＤＲ、ＤＤＲ２、ＤＤＲ３等のメモリーモジュールである。第１画像メモリー７１は、第１半導体デバイス６１が画像処理を施そうとする画像データや、第１半導体デバイス６１が画像処理を施した画像データを記憶する。そして、第１半導体デバイス６１が画像処理を施した画像データは、第１半導体デバイス６１や第１画像メモリー７１から主制御部５に向けて出力される。そして、画像データは、例えば、主制御部５のＲＡＭ５３に一時的に蓄えられ、本体側の画像処理部５６が別途画像処理を行った後、印刷や送信に利用されたり、記憶部５５（例えば、ＨＤＤ５４）に記憶される。
【００６９】
次に、原稿搬送部２側での原稿読取を説明する。原稿搬送制御部２０は、上述の主制御部５や読取制御部１０と接続され、主制御部５や読取制御部１０からの指示、信号を受け原稿搬送部２に設けられた部材の動作制御を行う。
【００７０】
原稿搬送制御部２０は、例えば、中央演算処理装置としてのＣＰＵや、制御用のプログラムやデータを記憶する記憶装置としてのＲＯＭ、ＲＡＭを含む基板である。例えば、主制御部５から原稿の読取指示があった場合、原稿搬送モーター２８を駆動させ、原稿供給ローラー２３や原稿搬送ローラー対２５等を回転させる。
【００７１】
又、操作パネル１０２で両面読取の指示があったとき、主制御部５は、原稿搬送制御部２０に原稿の裏面読取を指示する。そして、原稿搬送部２には、原稿の裏面を読み取るため第２光源２９、第２イメージセンサー２１、第２ＡＦＥ２０ａ（Analog Front End）、第２半導体デバイス６２、第２画像メモリー７２などが設けられる。
【００７２】
裏面読取の指示を主制御部５から受けたとき、原稿搬送制御部２０は、第２光源２９を点灯させる。そして、第２イメージセンサー２１は、通過する原稿の裏面を読み取る。第２イメージセンサー２１は、各受光素子（光電変換素子）のアナログ信号を出力し、第２ＡＦＥ２０ａに入力する。第２ＡＦＥ２０ａは、例えば、アナログ信号の増幅器や、ＡＧＣ（Auto Gain Control、自動ゲイン調整）回路や、第２イメージセンサー２１から出力される奇数番目と偶数番目の信号の特性の差異を補正するＯＤＤ／ＥＶＥＮ補正回路や、各種補正、調整回路で整えられたアナログ信号をディジタル信号に変換するＡ／Ｄ変換回路などを含む。尚、第２ＡＦＥ２０ａは、第１ＡＦＥ１８と同様の処理を行うが、第１イメージセンサー１２と第２イメージセンサー２１は、イメージセンサーの種類が異なるので、各処理でのパラメータが異なる。
【００７３】
第２ＡＦＥ２０ａによってディジタル信号に変換された画像データは、第２半導体デバイス６２に入力される。第２半導体デバイス６２は、例えば、ＡＳＩＣやＦＰＧＡなどの画像処理専用の集積回路である。そして、本実施形態では、第１半導体デバイス６１と第２半導体デバイス６２は同じデバイス（同じ仕様、同じ設計）である。
【００７４】
そのため、第２半導体デバイス６２は、第１半導体デバイス６１と同様の画像処理を行うことができる。例えば、第２半導体デバイス６２は、各種補正処理（γ補正処理等）や、色変換処理（例えば、ＲＧＢ形式からＣＭＹＫ等の他形式への変換）や、拡大、縮小といったズーム処理や符号化処理（圧縮、伸張や例えば、ＪＰＥＧ形式などへのデータ形式変換など）を行える。
【００７５】
又、第２半導体デバイス６２が利用する記憶領域として第２画像メモリー７２が設けられる。例えば、第２画像メモリー７２も、ＤＲＡＭであり、ＤＤＲ、ＤＤＲ２、ＤＤＲ３のメモリーモジュールである。第２画像メモリー７２は、第１半導体デバイス６１が画像処理を施そうとする画像データや、第２半導体デバイス６２が画像処理を施した画像データを記憶する。そして、第２半導体デバイス６２の画像処理完了後の画像データは、第２半導体デバイス６２や第２画像メモリー７２から主制御部５に向けて出力される。そして、画像データは、例えば、主制御部５のＲＡＭ５３に一時的に蓄えられた後、画像処理部５６が別途画像処理を行った後、表面の画像データと結合され、印刷や送信に利用されたり、記憶部５５（例えば、ＨＤＤ５４）に記憶される。
【００７６】
ここで、第１半導体デバイス６１と第２半導体デバイス６２は同じデバイスであるが、第１半導体デバイス６１は、記憶部５５（例えば、ＨＤＤ５４）に記憶された画像データに対して画像処理を行う。具体的に、主制御部５は、実施すべき画像処理を示す情報とともに、記憶部５５の画像データを第１画像メモリー７１を介して、あるいは、直接的に第１半導体デバイス６１に与える。
【００７７】
例えば、エンジン制御部４ｄは、記憶部５５に記憶された画像データに基づき印刷を行わせる。又、通信部５７は記憶部５５に記憶された画像データに基づき、外部のコンピューター２００やＦＡＸ装置３００に画像データを送信する。この記憶部５５に記憶された画像データに基づく印刷や送信を行うとき、第１半導体デバイス６１を有効活用するため、例えば、主制御部５の画像処理部５６が印刷用のデータを生成しているときなど、第１半導体デバイス６１に画像処理を行わせることができる。そして、第１半導体デバイス６１は、記憶部５５に記憶された画像データに対して画像処理を行う。第１半導体デバイス６１が処理を行った画像処理後の画像データは、再び、主制御部５に向けて出力される。
【００７８】
そして、第１半導体デバイス６１は、第１イメージセンサー１２の原稿読取による画像データに対して画像処理を行っているとき、記憶部５５に記憶された画像データに対する画像処理を並行して行うことがある（並行画像処理）。例えば、コピーのための原稿のスキャン中に、記憶部５５に記憶された画像データに基づく画像データの送信（ネットワーク送信やＦＡＸ送信など）の実行指示が操作パネル１０２になされたとき、第１半導体デバイス６１は並行画像処理を行う。
【００７９】
（各半導体デバイスの構成）
次に、図５に基づき、本実施形態の各半導体デバイスの構成の一例を説明する。図５は、各半導体デバイスの構成の一例を説明するためのブロック図である。
【００８０】
上述したように、第１半導体デバイス６１と第２半導体デバイス６２は同じデバイス（同じ設計、同じ仕様）である。
【００８１】
第１半導体デバイス６１は、例えば、コントローラー６３１、複数の画像処理回路６４１、入力Ｉ／Ｆ部６５１、メモリーＩ／Ｆ部６６１、本体側Ｉ／Ｆ部６７１、第１駆動信号生成部８１などを含み、内部バス６８１によりそれぞれ通信可能に接続される。
【００８２】
同様に、第２半導体デバイス６２も、例えば、コントローラー６３２、複数の画像処理回路６４２、入力Ｉ／Ｆ部６５２、メモリーＩ／Ｆ部６６２、本体側Ｉ／Ｆ部６７２、第２駆動信号生成部８２などを含み、内部バス６８２により、それぞれ通信可能に接続される。
【００８３】
第１半導体デバイス６１のコントローラー６３１は、主制御部５や読取制御部１０や原稿搬送制御部２０からの実施すべき画像処理の指示に基づき、第１画像メモリー７１への画像データの出し入れや画像処理回路６４１への画像データの入力や主制御部５への処理後の画像データの出力等、第１半導体デバイス６１の動作の制御を行う。
【００８４】
第２半導体デバイス６２のコントローラー６３２も同様に、主制御部５や読取制御部１０や原稿搬送制御部２０からの実施すべき画像処理の指示に基づき、第２画像メモリー７２への画像データの出し入れや画像処理回路６４２への画像データの入力や主制御部５への処理後の画像データの出力等、第２半導体デバイス６２の動作の制御を行う。
【００８５】
第１半導体デバイス６１内の各画像処理回路６４１は、例えば、各種補正処理、色変換処理、ズーム処理、符号化処理など、画像処理の内容に合わせて複数のブロックに分けて設けられる。そして、各画像処理回路６４１は、それぞれ画像データに対する画像処理を行う。
【００８６】
第２半導体デバイス６２内の画像処理回路６４２も同様に、例えば、各種補正処理、色変換処理、ズーム処理、符号化処理など、画像処理の内容に合わせて複数のブロックに分けて設けられる。そして、各画像処理回路６４２は、それぞれ画像データに対する画像処理を行う。
【００８７】
第１半導体デバイス６１の入力Ｉ／Ｆ部６５１は、第１ＡＦＥ１８により処理された画像データの入力を受け付けるインターフェイスである。第１半導体デバイス６１のメモリーＩ／Ｆ部６６１は、第１画像メモリー７１への画像データの書き込みや第１画像メモリー７１からの画像データの読み出しを行うためのインターフェイスである。第１半導体デバイス６１の本体側Ｉ／Ｆ部６７１は、実行すべき画像処理の内容を示す指示（データ）や、主制御部５から記憶部５５に記憶された画像データの受信や、処理後の画像データの主制御部５への送信を行うインターフェイスである。
【００８８】
第２半導体デバイス６２の入力Ｉ／Ｆ部６５２は、第２ＡＦＥ２０ａにより処理された画像データの入力を受け付けるインターフェイスである。第２半導体デバイス６２のメモリーＩ／Ｆ部６６２は、第２画像メモリー７２への画像データの書き込みや第２画像メモリー７２からの画像データの読み出しを行うためのインターフェイスである。本体側Ｉ／Ｆ部６７２は、実行すべき画像処理の内容を示す指示（データ）や、処理後の画像データの主制御部５への送信を行うインターフェイスである。
【００８９】
第１半導体デバイス６１の第１駆動信号生成部８１は、クロック信号を駆動信号として生成する。そして、第１駆動信号生成部８１はコントローラー６３１、複数の画像処理回路６４１、入力Ｉ／Ｆ部６５１、メモリーＩ／Ｆ部６６１、本体側Ｉ／Ｆ部６７１、内部バス６８１に駆動信号を供給する回路である。例えば、第１駆動信号生成部８１は、第１ＰＬＬ回路８３１（Phase Locked Loop回路）を含む。尚、第１駆動信号生成部８１の詳細は後述する。
【００９０】
第２半導体デバイス６２の第２駆動信号生成部８２も、クロック信号を駆動信号として生成する。そして、第２駆動信号生成部８２は、コントローラー６３２、複数の画像処理回路６４２、入力Ｉ／Ｆ部６５２、メモリーＩ／Ｆ部６６２、本体側Ｉ／Ｆ部６７２、内部バス６８２に駆動信号を供給する回路である。例えば、第２駆動信号生成部８２は、第２ＰＬＬ回路８３２（Phase Locked Loop）を含む。尚、第２駆動信号生成部８２の詳細も後述する。
【００９１】
（駆動信号の周波数）
次に、図６に基づき、本実施形態の各駆動信号生成部を説明する。図６は、各駆動信号生成部の一例を示すブロック図である。
【００９２】
本実施形態の画像読取装置１００、複合機１０１には、第１イメージセンサー１２による原稿の表面の読み取りで得られた画像データを処理する第１半導体デバイス６１と、第２イメージセンサー２１による原稿の裏面の読み取りで得られた画像データを処理する第２半導体デバイス６２の、２つの半導体デバイスが設けられる。そして、第１半導体デバイス６１と第２半導体デバイス６２は同様のものが用いられる。
【００９３】
そして、第１半導体デバイス６１は、記憶部５５に記憶された画像データと第１イメージセンサー１２の読み取りにより得られた画像データの並行画像処理を遅延無く行えるだけの画像処理性能を有する。一方、第２半導体デバイス６２は、並行画像処理を行わないので、第１半導体デバイス６１ほどの画像処理速度は要求されない。
【００９４】
そこで、本実施形態の画像読取装置１００、複合機１０１では、第１半導体デバイス６１は、遅延などの問題なく並行画像処理を行える周波数で動作させる。言い換えると、第１半導体デバイス６１は、並行画像処理が可能である。一方、第２半導体デバイス６２は、第１半導体デバイス６１よりも周波数を落として動作させる。これにより、高い周波数で動作させることによる電力のロスや、第２半導体デバイス６２などでの発熱量を低減する。又、この発熱量の低減により、ヒートシンクの増設や送風能力の高い高価な冷却ファンを不要とする。
【００９５】
上述のように、第１半導体デバイス６１には、第１駆動信号生成部８１が設けられ、第２半導体デバイス６２には第２駆動信号生成部８２が設けられる。例えば、図６に示すように、第１駆動信号生成部８１には第１ＰＬＬ回路８３１が設けられる。又、第１半導体デバイス６１と第２半導体デバイス６２は同様であるので第２駆動信号生成部８２でも同様に第２ＰＬＬ回路８３２が設けられる。
【００９６】
そして、第１ＰＬＬ回路８３１に基準信号ＣＬＫ０１を入力する第１基準クロック生成部９３が設けられる。第１基準クロック生成部９３は、第１半導体デバイス６１に外付けされてもよいし、内蔵されてもよい。第１ＰＬＬ回路８３１は、例えば、第１基準クロック生成部９３が生成する基準信号ＣＬＫ０１の整数倍（逓倍）した周波数の駆動信号ＣＬＫ１（クロック信号）を生成する。
【００９７】
又、第２ＰＬＬ回路８３２に基準信号ＣＬＫ０２を入力する第２基準クロック生成部９４が設けられる。第２基準クロック生成部９４は、第２半導体デバイス６２に外付けされてもよいし、内蔵されてもよい。第２ＰＬＬ回路８３２は、例えば、第２基準クロック生成部９４が生成する基準信号ＣＬＫ０２の整数倍（逓倍）した周波数の駆動信号ＣＬＫ２（クロック信号）を生成する。
【００９８】
そして、第１駆動信号生成部８１には、画像処理回路用駆動信号生成部８４１が設けられる。画像処理回路用駆動信号生成部８４１は、第１半導体デバイス６１内の各画像処理回路６４１用の画像処理回路用駆動信号ＣＬＫ１１（クロック信号）を生成し、各画像処理回路６４１に生成した画像処理回路用駆動信号ＣＬＫ１１を供給する（便宜上、図６では、画像処理回路６４１は１つのみ図示）。例えば、画像処理回路用駆動信号生成部８４１は、分周器（例えば、カウンタ、逓倍回路でもよい）であり、仕様上予め定められた周波数の画像処理回路用駆動信号ＣＬＫ１１を生成する。第１半導体デバイス６１内の各各画像処理回路６４１は、画像処理回路用駆動信号ＣＬＫ１１の周波数に応じた速度で動作する。
【００９９】
一方、第１半導体デバイス６１と第２半導体デバイス６２は同じデバイス（仕様、設計）であるので、第２駆動信号生成部８２にも、画像処理回路用駆動信号生成部８４２が設けられる。第２駆動信号生成部８２内の画像処理回路用駆動信号生成部８４２は、第１駆動信号生成部８１のものと同様である。具体的に、画像処理回路用駆動信号生成部８４２は、第２半導体デバイス６２内の各画像処理回路６４２用の駆動信号ＣＬＫ２１（クロック信号）を生成し、各画像処理回路６４２に生成した画像処理回路用駆動信号ＣＬＫ２１を供給する（便宜上、図６では、画像処理回路６４２は１つのみ図示）。第２半導体デバイス６２内の各画像処理回路６４２は、画像処理回路用駆動信号ＣＬＫ２１の周波数に応じた速度で動作する。
【０１００】
又、第１駆動信号生成部８１には、内部バス用駆動信号生成部８５１が設けられる。内部バス用駆動信号生成部８５１は、第１半導体デバイス６１内の内部バス６８１に供給する内部バス用駆動信号ＣＬＫ１２（クロック信号）を生成する。例えば、内部バス用駆動信号生成部８５１は、分周器（例えば、カウンタ、逓倍回路でもよい）であり、第１半導体デバイス６１の内部バス６８１用の内部バス用駆動信号ＣＬＫ１２を生成する。例えば、第１半導体デバイス６１内の内部バス６８１や各種Ｉ／Ｆ部は、内部バス用駆動信号ＣＬＫ１２の周波数に応じた速度で動作する。
【０１０１】
一方、第１半導体デバイス６１と第２半導体デバイス６２は同じデバイス（仕様、設計）であるので、第２駆動信号生成部８２にも、内部バス用駆動信号生成部８５２が設けられる。第２駆動信号生成部８２内の内部バス用駆動信号生成部８５２は、第１駆動信号生成部８１のものと同様である。具体的に、内部バス用駆動信号生成部８５２は、第２半導体デバイス６２内の内部バス６８２に供給する内部バス用駆動信号ＣＬＫ２２（クロック信号）を生成する。例えば、第２半導体デバイス６２内の内部バス６８２や各種Ｉ／Ｆ部は、内部バス用駆動信号ＣＬＫ２２の周波数に応じた速度で動作する。
【０１０２】
又、第１駆動信号生成部８１には、画像メモリー用駆動信号生成部８６１が設けられる。画像メモリー用駆動信号生成部８６１は、第１画像メモリー７１に供給するメモリー用駆動信号ＣＬＫ１３（クロック信号）を生成する。例えば、画像メモリー用駆動信号生成部８６１は、分周器（例えば、カウンタ、逓倍回路でもよい）である。第１画像メモリー７１は、メモリー用駆動信号ＣＬＫ１３の周波数に応じた速度で動作する。
【０１０３】
一方、第１半導体デバイス６１と第２半導体デバイス６２は同じデバイス（仕様、設計）であるので、第２駆動信号生成部８２にも、画像メモリー用駆動信号生成部８６２が設けられる。第２駆動信号生成部８２内の画像メモリー用駆動信号生成部８６２は、第１駆動信号生成部８１のものと同様である。具体的に、画像メモリー用駆動信号生成部８６２は、第２画像メモリー７２に供給するメモリー用駆動信号ＣＬＫ２３（クロック信号）を生成する。第２画像メモリー７２は、メモリー用駆動信号ＣＬＫ２３の周波数に応じた速度で動作する。
【０１０４】
尚、各画像処理回路、内部バス、画像メモリー用に、それぞれの駆動信号を生成する部分を設ける例を説明したが、第１ＰＬＬ回路８３１、第２ＰＬＬ回路８３２が生成する駆動信号ＣＬＫ１、ＣＬＫ２がそのまま使えるのであれば、そのまま、各画像処理回路、内部バス、画像メモリーに駆動信号を供給してよい。
【０１０５】
ここで、上述のように、第１半導体デバイス６１は、問題なく並行画像処理を行えるほどの周波数で動作させる。一方、第２半導体デバイス６２は、第１半導体デバイス６１よりも周波数を落として動作させる。そのため、第１半導体デバイス６１を動作させる各種駆動信号の周波数と、第２半導体デバイス６２を動作させる各種駆動信号の周波数は異なる。そこで、第１駆動信号生成部８１が生成する駆動信号ＣＬＫ１の周波数を設定するための第１周波数設定部９１を設けることができる。又、同様に、第２駆動信号生成部８２が生成する駆動信号ＣＬＫ２の周波数を設定するための第２周波数設定部９２（設定部に相当）を設けることができる。
【０１０６】
第１周波数設定部９１は、例えば、第１半導体デバイス６１（第１駆動信号生成部８１）に外付けされる形態で設けられる。例えば、第１駆動信号生成部８１（第１ＰＬＬ回路８３１）が生成すべき駆動信号ＣＬＫ１の周波数が第１周波数設定部９１の外部ピンで設定される。第１周波数設定部９１でのピン設定に応じた周波数設定情報が第１駆動信号生成部８１に入力される。第１ＰＬＬ回路８３１は、第１周波数設定部９１で設定された周波数設定情報に基づく周波数で駆動信号ＣＬＫ１を生成する。
【０１０７】
同様に、第２周波数設定部９２は、例えば、第２半導体デバイス６２（第２駆動信号生成部８２）に外付けされる形態で設けられる。例えば、第２駆動信号生成部８２（第２ＰＬＬ回路８３２）が生成すべき駆動信号ＣＬＫ２の周波数が第２周波数設定部９２の外部ピンで設定される。第２周波数設定部９２でのピン設定に応じた周波数設定情報が第２駆動信号生成部８２に入力される。第２ＰＬＬ回路８３２は、第２周波数設定部９２で設定された周波数設定情報に基づく周波数で駆動信号ＣＬＫ２を生成する。
【０１０８】
あるいは、主制御部５（設定部に相当）の記憶部５５に第１駆動信号生成部８１（第１ＰＬＬ回路８３１）と、第２駆動信号生成部８２（第２ＰＬＬ回路８３２）が生成すべき駆動信号（クロック信号）の周波数を示す情報（周波数設定情報）をそれぞれ記憶させておく。そして、主制御部５から本体側Ｉ／Ｆ部６７１、６７２を介し、第１駆動信号生成部８１と第２駆動信号生成部８２に対し、生成すべき駆動信号の周波数を定めた周波数設定情報を与えてもよい。言い換えると、第１駆動信号生成部８１と第２駆動信号生成部８２が生成する駆動信号の周波数をソフトウェア的に設定することもできる。
【０１０９】
このように、第１半導体デバイス６１と第２半導体デバイス６２は同様の構成であるが、第１駆動信号生成部８１と第２駆動信号生成部８２が生成する駆動信号の周波数は設定することができ、設定に応じて可変させることができる。
【０１１０】
ここで、第１駆動信号生成部８１に対する周波数設定情報は、第１半導体デバイス６１が問題なく並行画像処理を行えるほどの周波数で第１駆動信号生成部８１に駆動信号ＣＬＫ１を発生させるように定められる。一方、第２半導体デバイス６２は、第１半導体デバイス６１よりも周波数を落として動作させる。そのため、第２駆動信号生成部８２に対する周波数設定情報は、第２駆動信号生成部８２が第１駆動信号生成部８１により生成される駆動信号ＣＬＫ１の周波数よりも、低い周波数の駆動信号ＣＬＫ２を生成するように定められる。
【０１１１】
尚、第２駆動信号生成部８２が生成する駆動信号ＣＬＫ２の周波数は、第２半導体デバイス６２が、第２イメージセンサー２１により読み取られた原稿の画像データを遅延無く処理できるだけの周波数に設定される。これにより、第２駆動信号生成部８２（第２ＰＬＬ回路８３２）が生成する駆動信号ＣＬＫ２の周波数は、第１駆動信号生成部８１が生成する駆動信号ＣＬＫ１の周波数よりも低くなる。
【０１１２】
又、第１半導体デバイス６１と第２半導体デバイス６２は同様であるので、第２半導体デバイス６２の各画像処理回路６４２に供給される画像処理回路用駆動信号ＣＬＫ２１の周波数は、第１半導体デバイス６１の各画像処理回路６４１に供給される画像処理回路用駆動信号ＣＬＫ１１よりも、低い周波数となる。第２半導体デバイス６２の内部バス６８２に供給される内部バス用駆動信号ＣＬＫ２２の周波数は、第１半導体デバイス６１の内部バス６８１に供給される内部バス用駆動信号ＣＬＫ１２よりも、低い周波数となる。又、第２画像メモリー７２に供給されるメモリー用駆動信号ＣＬＫ２３の周波数は、第２画像メモリー７２に供給されるメモリー用駆動信号ＣＬＫ１３よりも、低い周波数となる。従って、第２半導体デバイス６２の動作周波数は、第１半導体デバイス６１の動作周波数よりも抑えられる。
【０１１３】
このように、第２半導体デバイス６２での動作速度（画像処理性能）を決定する要因の１つである動作周波数は、意図的に第１半導体デバイス６１よりも落とされる。言い換えると、第２半導体デバイス６２の動作を定める駆動信号（クロック信号）の周波数は、第１半導体デバイス６１の周波数よりも落とす方向に、静的に（固定的に）変更される。
【０１１４】
このようにして、本実施形態の画像読取装置１００は、画像データを記憶する記憶部５５（ＨＤＤ５４等）と、原稿の一方の面を読み取る第１読取部（第１イメージセンサー１２）と、駆動信号ＣＬＫ１を生成する第１駆動信号生成部８１と、第１駆動信号生成部８１が生成する駆動信号ＣＬＫ１の周波数に応じた速度で動作し、第１読取部の原稿読み取りで得られた画像データに対する画像処理と、記憶部５５に記憶された画像データの画像処理を並行して行うことが可能な第１半導体デバイス６１と、原稿の他方の面を読み取る第２読取部（第２イメージセンサー２１）と、駆動信号ＣＬＫ２を生成する第２駆動信号生成部８２と、第２駆動信号生成部８２が生成する駆動信号ＣＬＫ２の周波数に応じた速度で動作し、第２読取部の原稿読み取りで得られた画像データに対する画像処理を行う第２半導体デバイス６２と、を含み、第１半導体デバイス６１と第２半導体デバイス６２は、同じものであり、第２駆動信号生成部８２は、第１駆動信号生成部８１が生成する駆動信号ＣＬＫ１よりも遅い周波数の駆動信号ＣＬＫ２を生成する。
【０１１５】
これにより、表面読取用の半導体デバイス（第１半導体デバイス６１）と裏面読取用の半導体デバイス（第２半導体デバイス６２）で同じもの（半導体デバイス）が用いられる。従って、第１半導体デバイス６１と第２半導体デバイス６２を別々に開発せずに済み、半導体デバイスの開発コストを抑えることができる。又、記憶部５５（ＨＤＤ５４等）に記憶された画像データと第２読取部（第２イメージセンサー２１）の原稿読み取りで得られた画像データに対する画像処理を並列処理する必要がない第２半導体デバイス６２は、第１半導体デバイス６１よりも動作周波数が低く抑えられる。従って、第２半導体デバイス６２の動作周波数低減により、第２半導体デバイス６２での発熱等による余分な電力の消費が抑えられ、熱対策（ヒートシンクの設置や風量の大きい冷却ファンの設置）に要するコストも抑えられる。
【０１１６】
又、本実施形態の画像読取装置１００は、第１半導体デバイス６１及び第２半導体デバイス６２はそれぞれ画像処理回路（画像処理回路６４１、画像処理回路６４２）を含み、第１駆動信号生成部８１は、予め定められた周波数（静的に固定された周波数）で第１半導体デバイス６１の画像処理回路６４１を駆動させるための画像処理回路用駆動信号ＣＬＫ１１を生成し、第２駆動信号生成部８２は、第２半導体デバイス６２の画像処理回路６４２を駆動させるため、予め定められた周波数（静的に固定された周波数）であって第１駆動信号生成部８１が生成する画像処理回路用駆動信号ＣＬＫ１１よりも遅い周波数の画像処理回路用駆動信号ＣＬＫ２１を生成する。これにより、画像処理を行う第２半導体デバイス６２の一部を構成する画像処理回路６４２での余分な電力の消費を抑えることができ、熱対策に要するコストも抑えることができる。
【０１１７】
又、本実施形態の画像読取装置１００は、第１半導体デバイス６１及び第２半導体デバイス６２は、それぞれ内部バス（内部バス６８１、内部バス６８２）を含み、第１駆動信号生成部８１は、予め定められた周波数（静的に固定された周波数）で第１半導体デバイス６１の内部バス６８１を駆動させるための内部バス用駆動信号ＣＬＫ１２を生成し、第２駆動信号生成部８２は、第２半導体デバイス６２の内部バス６８２を駆動させるため、予め定められた周波数（静的に固定された周波数）であって第１駆動信号生成部８１が生成する内部バス用駆動信号ＣＬＫ１２よりも遅い周波数の内部バス用駆動信号ＣＬＫ２２を生成する。これにより、画像処理を行う第２半導体デバイス６２の一部を構成する内部の内部バスでの余分な電力の消費を抑えることができ、熱対策に要するコストも抑えることができる。
【０１１８】
又、本実施形態の画像読取装置１００は、第１半導体デバイス６１と通信可能に接続され、第１半導体デバイス６１が画像処理を行うときに用いられ、第１駆動信号生成部８１が生成するメモリー用駆動信号ＣＬＫ１３の周波数に応じた速度で動作する第１画像メモリー７１と、第２半導体デバイス６２と通信可能に接続され、第２半導体デバイス６２が画像処理を行うときに用いられ、第２駆動信号生成部８２が生成するメモリー用駆動信号ＣＬＫ２３の周波数に応じた速度で動作する第２画像メモリー７２と、を含み、第１駆動信号生成部８１は、第１画像メモリー７１を駆動させるためのメモリー用駆動信号ＣＬＫ１３を生成し、第２駆動信号生成部８２は、第２画像メモリー７２を駆動させるため、予め定められた周波数（静的に固定された周波数）であって第１駆動信号生成部８１が生成するメモリー用駆動信号ＣＬＫ１３よりも遅い周波数のメモリー用駆動信号２３を生成する。これにより、第２半導体デバイス６２が画像処理を行う上で、画像処理を行う画像データや画像処理後の画像データを記憶する第２画像メモリー７２での余分な電力の消費を抑えることができ、第２画像メモリー７２に対する熱対策に要するコストも抑えることができる。
【０１１９】
又、本実施形態の画像読取装置１００は、第２駆動信号生成部８２が生成する駆動信号ＣＬＫ２、画像処理回路用駆動信号ＣＬＫ２１、内部バス用駆動信号ＣＬＫ２２、メモリー用駆動信号ＣＬＫ２３の何れか１つ又は複数の周波数を設定するための設定部（第２周波数設定部９２、主制御部５）を含む。これにより、第２半導体デバイス６２及び第２半導体デバイス６２に関連する構）に供給する各種駆動信号の周波数を、画像処理を行う上で十分であり、余分な電力の消費や発熱を抑える上で好適な周波数に合わせることができる。
【０１２０】
又、本実施形態の画像読取装置１００は、原稿搬送路２４に沿って原稿を搬送する原稿搬送部２を有し、第１読取部（第１イメージセンサー１２）は原稿搬送路２４の途中で原稿の表面を読み取り、第２読取部（第２イメージセンサー２１）は原稿搬送路２４の途中で原稿の裏面を読み取って、第１読取部と第２読取部は、１枚の原稿の同時読取を行う。これにより、２つの読取部により、同時に（並行して）原稿の読み取りを行うことができる。
【０１２１】
又、本実施形態の画像形成装置（複合機１０１）は、画像読取装置１００と、第１半導体デバイス６１及び第２半導体デバイス６２が画像処理を行った画像データに基づき、画像を形成する画像形成部４ａと、を含む。これにより、画像読取装置１００での２つの半導体デバイスをそれぞれ別に開発せずに済み、画像読取装置１００を搭載した画像形成装置（複合機１０１）の開発費用を抑えることができる。又、第２半導体デバイス６２での余分な電力の消費は発生熱が抑えられるので、従来よりも省電力で、低コストの画像読取装置１００を搭載した画像形成装置（複合機１０１）を提供することができる。
【０１２２】
以上、本発明の実施形態を説明したが、本発明の範囲はこれに限定されず、発明の主旨を逸脱しない範囲で種々の変更を加えて実施することができる。
【産業上の利用可能性】
【０１２３】
本発明は、画像読取装置やこれを備えた画像形成装置に利用可能である。
【符号の説明】
【０１２４】
１００  画像読取装置                    １０１  複合機（画像形成装置）
２      原稿搬送部                      ４ａ    画像形成部
２４    原稿搬送路                      ５      主制御部（設定部）
５２    ＲＯＭ（記憶部）                ５３    ＲＡＭ（記憶部）
５４    ＨＤＤ（記憶部）                ５５    記憶部
１２    第１イメージセンサー（第１読取部）  ６１    第１半導体デバイス
６４１  画像処理回路                    ６８１  内部バス
７１    第１画像メモリー                ８１    第１駆動信号生成部
ＣＬＫ１  駆動信号                      ＣＬＫ１１  画像処理回路用駆動信号
ＣＬＫ１２  内部バス用駆動信号          ＣＬＫ１３  メモリー用駆動信号
２１    第２イメージセンサー（第２読取部）  ６２    第２半導体デバイス
６４２  画像処理回路                    ６８２  内部バス
７２    第２画像メモリー                ８２    第２駆動信号生成部
９２    第２周波数設定部（設定部）      ＣＬＫ２  駆動信号
ＣＬＫ２１  画像処理回路用駆動信号      ＣＬＫ２２  内部バス用駆動信号
ＣＬＫ２３  メモリー用駆動信号
【図１】
0005647950.tif 000002
【図２】
0005647950.tif 000003
【図３】
0005647950.tif 000004
【図４】
0005647950.tif 000005
【図５】
0005647950.tif 000006
【図６】
0005647950.tif 000007